(57)【要約】  個人用保護具製品（１０）用の電源（１２）と、電源（１２）を呼吸マスク（１０）などの個人用保護具製品に取り外し可能に結合する方法およびシステム。取り外し可能電池カートリッジ（１２）は、呼吸器を取り付ける予定である、または取り付けている位置の下方の使用者の顎領域でマスク本体（１４）に取り付けられる。このため、電源（電池カートリッジ（１２））は使用者の邪魔にならず、使用者が手袋を着用しているときでも、マスク（１０）からカートリッジ（１２）を迅速かつ容易に着脱することができる位置にある。一実施形態において、マスク本体（１４）は下面と、マスク本体下面に取り外し可能に結合可能である電源とを含む。【選択図】図３
2019511333.tif 000002
【特許請求の範囲】
【請求項１】
ハウジング部（２５）を含むマスク本体（１４）と、
前記マスク本体ハウジング部（２５）に取り外し可能に結合可能な電源（１２）と、
を備える呼吸マスク（１０）。
【請求項２】
前記電源（１２）が電池カートリッジ（１２）であり、前記マスク（１０）が前記マスク本体（１４）に結合されるフェースプレート（１６）をさらに備え、前記フェースプレート（１６）が開口（２４）を画定し、前記電池カートリッジ（１２）が前記開口（２４）から垂直に所定距離離れている、請求項１に記載の呼吸マスク（１０）。
【請求項３】
前記電源（１２）が電池カートリッジ（１２）であり、前記マスク本体（１４）が前記電池カートリッジ（１２）の少なくとも一部を収容するサイズと構造を有する凹部（５０）を画定する、請求項２に記載の呼吸マスク（１０）。
【請求項４】
前記マスク本体ハウジング部（２５）が第１面（２８）と、前記第１面（２８）に直交する第２面（３０）とを有し、前記電池カートリッジ（１２）が、前記電池カートリッジ（１２）が前記マスク本体（１４）に結合されたときに前記マスク本体ハウジング部（２５）の前記第２面（３０）と共面となる縁部（４４）を含む、請求項３に記載の呼吸マスク（１０）。
【請求項５】
前記電池カートリッジ（１２）が、前記電池カートリッジ（１２）が前記マスク本体（１４）に取り付けられたときに、前記マスク本体ハウジング部（２５）の前記第１面（２８）と共面となる面（４６）をさらに含む、請求項４に記載の呼吸マスク（１０）。
【請求項６】
前記電池カートリッジ縁部（４４）が第４縁部（４４）であり、前記電池カートリッジ（１２）が第１縁部（３８）と、前記第１縁部（３８）とは反対側を向いた第２縁部（４０）と、前記第４縁部（４４）とは反対側を向いた第３縁部（４２）とをさらに含み、前記凹部（５０）が、
前記電池カートリッジ（１２）が前記マスク本体（１４）に取り付けられたときに前記電池カートリッジ第１縁部（３８）に接触するように構成される凹部第１壁（５４）と、
前記電池カートリッジ（１２）が前記マスク本体（１４）に取り付けられたときに前記電池カートリッジ第２縁部（４０）に接触するように構成される凹部第２壁（５６）と、
前記凹部第１壁（５４）の切欠き（８２）と、
をさらに含む、
請求項４に記載の呼吸マスク（１０）。
【請求項７】
前記電池カートリッジ（１２）が、前記電池カートリッジ第１縁部（３８）に突出部（８０）をさらに含み、前記電池カートリッジ（１２）が前記マスク本体（１４）に取り付けられたときに、前記突出部（８０）が前記凹部第１壁（５４）の前記切欠き（８２）に収容されるサイズと構造を有する、請求項６に記載の呼吸マスク（１０）。
【請求項８】
前記電池カートリッジ（１２）が前記電池カートリッジ第３縁部（４２）に電気コネクタ（６８）をさらに含む、請求項６に記載の呼吸マスク（１０）。
【請求項９】
前記電池カートリッジ（１２）が前記電池カートリッジ第２縁部（４０）上のねじボス（７２）と、前記電池カートリッジ第２縁部（４０）に沿って延びるねじ凹部（７４）とをさらに含み、前記ねじボス（７２）とねじ凹部（７４）がそれぞれねじ（７６）を収容するサイズと構造を有する、請求項６に記載の呼吸マスク（１０）。
【請求項１０】
前記電池カートリッジ（１２）が前記電池カートリッジ第２縁部（４０）にラッチ機構（８４）をさらに含む、請求項６に記載の呼吸マスク（１０）。
【請求項１１】
前記マスク本体（１４）が前記ラッチ機構（８４）と機械的に連通する解除機構（９４）をさらに含み、前記解除機構（９４）の始動により電池カートリッジ第２縁部（４０）をマスク本体（１４）から取り外すように構成される、請求項１０に記載の呼吸マスク（１０）。
【請求項１２】
前記解除機構（９４）が前記マスク本体（１４）に沿って直線的に移動可能である、請求項１１に記載の呼吸マスク（１０）。
【請求項１３】
前記ラッチ機構（８４）が押圧可能突起（８６）とバネ（８８）とを含む、請求項１１に記載の呼吸マスク（１０）。
【請求項１４】
前記ラッチ機構（８４）が第１位置にあるときに前記押圧可能突起（８６）が前記凹部第２壁（５６）と係合し、前記ラッチ機構（８４）が第２位置にあるときに前記押圧可能突起（８６）が前記凹部第２壁（５６）から解放される、請求項１３に記載の呼吸マスク（１０）。
【請求項１５】
前記解除機構（９４）を始動させると、前記押圧可能突起（８６）がバネ（８８）に抗して前記凹部第２壁（５６）から離れるように直線移動する、請求項１３に記載の呼吸マスク（１０）。
【請求項１６】
マスク本体（１４）と、前記マスク本体（１４）に取り外し可能に結合される電池カートリッジ（１２）とを備える呼吸マスク（１０）であって、
前記マスク本体（１４）が、
第１面（２８）と、
前記マスク本体第１面（２８）に直交する第２面（３０）であって、前記マスク本体第１面（２８）が呼吸器を収容するサイズと構造を有する開口（２４）を画定する、第２面（３０）と、
前記マスク本体（１４）の凹部（５０）であって、凹部第１壁（５４）と、前記第１壁（５４）と向かい合う凹部第２壁（５６）と、前記凹部第１壁（５４）と前記凹部第２壁（５６）との間を延びる凹部第３壁（５８）と、前記凹部第１壁（５４）、前記凹部第２壁（５６）、および前記凹部第３壁（５８）に接し、前記マスク本体第１面（２８）に平行である凹部第４壁（６０）とを有する凹部（５０）と、
を含み、
前記電池カートリッジ（１２）が、
前記電池カートリッジ（１２）が前記マスク本体（１４）に結合されたときに前記凹部第１壁（５４）と接触するように構成される電池カートリッジ第１縁部（３８）と、
前記電池カートリッジ第１縁部（３８）とは反対側を向いた、前記電池カートリッジ（１２）が前記マスク本体（１４）に結合されたときに前記凹部第２壁（５６）に接するように構成される電池カートリッジ第２縁部（４０）と、
前記電池カートリッジ第１縁部（３８）と前記電池カートリッジ第２縁部（４０）との間を延び、前記電池カートリッジ（１２）が前記マスク本体（１４）に結合されたときに前記凹部第４壁（６０）に接するように構成される電池カートリッジ第１面（４６）と、
前記電池カートリッジ第１縁部（３８）と前記電池カートリッジ第２縁部（４０）との間を延び、前記電池カートリッジ（１２）が前記マスク本体（１４）に結合されたときに前記マスク本体第１面（２８）と共面になるように構成される電池カートリッジ第２面（４８）と、
を含む、呼吸マスク（１０）。
【請求項１７】
前記凹部（５０）が前記凹部第１壁（５４）に切欠き（８２）をさらに含み、前記電池カートリッジ（１２）が前記電池カートリッジ第１縁部（３８）上に突出部（８０）をさらに含み、前記電池カートリッジ（１２）が前記マスク本体（１４）に取り付けられたときに前記突出部（８０）が前記切欠き（８２）に収容されるサイズと構造を有する、請求項１６に記載の呼吸マスク（１０）。
【請求項１８】
前記電池カートリッジ（１２）が前記電池カートリッジ第２縁部（４０）上にラッチ機構（８４）と、前記ラッチ機構（８４）と機械的に連通する解除機構（９４）とをさらに含み、前記解除機構（９４）が始動されると前記電池カートリッジ（１２）が前記凹部（５０）から外れる、請求項１７に記載の呼吸マスク（１０）。
【請求項１９】
呼吸マスク（１０）用の取り外し可能電池カートリッジ（１２）であって、前記呼吸マスク（１０）が第１面（２８）と、前記第１面（２８）に直交する第２面（３０）とを有し、前記電池カートリッジ（１２）が、
第１縁部（３８）と、
前記第１縁部（３８）とは反対側を向いた第２縁部（４０）と、
前記第１縁部（３８）と第２縁部（４０）との間を延びる第１面（４６）と、
前記第１縁部（３８）と第２縁部（４０）との間を延び、前記第１面（４６）とは反対側を向き、前記電池カートリッジ（１２）が前記マスク本体（１４）に結合されたときに前記マスク第１面（２８）と共面になるように構成される第２面（４８）と、
前記マスク本体（１４）に係合可能なラッチ機構（８４）と、
を備える、取り外し可能電池カートリッジ（１２）。
【請求項２０】
前記電池カートリッジ（１２）が、
前記第１縁部（３８）と前記第２縁部（４０）との間を延びる第３縁部（４２）と、
前記第３縁部（４２）とは反対側を向き、前記第１縁部（３８）と前記第２縁部（４０）との間を延び、前記電池カートリッジ（１２）が前記マスク本体（１４）に結合されたときに前記マスク第２面（３０）と共面になるように構成される第４縁部（４４）と、
をさらに備える、請求項１９に記載の呼吸マスク（１０）。
【発明の詳細な説明】
【技術分野】
【０００１】
取り外し可能電池カートリッジ、呼吸マスクおよび方法および、特に、呼吸マスクへの取り外し可能電池カートリッジを含む呼吸マスク。
【背景技術】
【０００２】
呼吸マスクなどの個人用保護マスクは、人が気体、蒸気、エアロゾル（たとえば、塵芥、ミストおよび／または生物学的薬剤）などの危険性物質に曝される環境で使用される。呼吸マスクには多様な種類およびサイズがあり、より安価な使い捨てマスクから交換可能な濾過カートリッジを含む、より高価な再利用可能なマスクにまで及ぶ。多数の呼吸マスクは、通信およびデータ転送装置などの電子装置を含み、これらの電子部品は動作させるための電源を必要とする。
【０００３】
現在知られている電源は、かさばる、扱いづらい、またはマスクに装着することが困難であり、交換や再充電のためにマスクに容易に着脱されない。現在公知のシステムにおいて、電源は、マスクの頂部（使用者の頭部など）、マスクの頬側または側方側の領域に装着される、あるいは使用者の背部またはベルトに配線される。しかし、これらの位置では、電源によりマスクがさらにかさばり、使用者の動きを妨げる場合がある。また、現在既知の電源は、電源の交換や再充電の際に必要とされるマスクへの取り付けおよびマスクからの取外しが難しい。
【発明の概要】
【０００４】
いくつかの実施形態は、呼吸マスク用取り外し可能電池カートリッジ、取り外し可能電池カートリッジを有する呼吸マスク、および取り外し可能電池カートリッジを呼吸マスクに取り付ける方法を有利に提供する。取り外し可能電池カートリッジは、顎領域でマスク本体に取り付けられる。このため、電源（取り外し可能電池カートリッジ）は使用者の邪魔にならず、使用者が手袋を着用しているときでも、マスクからカートリッジを迅速かつ容易に着脱することができる位置にある。
【０００５】
一実施形態では、呼吸マスクはハウジング部を含むマスク本体と、マスク本体ハウジング部に取り外し可能に結合可能な電源と、を含む。
【０００６】
実施形態の一態様において、電源が電池カートリッジであり、マスクがマスク本体に結合されるフェースプレートをさらに備え、フェースプレートが開口を画定し、電池カートリッジが開口から垂直に所定距離離れている。実施形態の一態様において、電源が電池カートリッジであり、マスク本体が電池カートリッジの少なくとも一部を収容するサイズと構造を有する凹部を画定する。実施形態の一態様において、マスク本体ハウジング部が第１面と、第１面に直交する第２面とを有し、電池カートリッジが、電池カートリッジがマスク本体に結合されたときにマスク本体ハウジング部の第２面と共面となる縁部を含む。
【０００７】
実施形態の一態様において、電池カートリッジが、電池カートリッジがマスク本体に取り付けられたときに、マスク本体ハウジング部の第１面と共面となる面をさらに含む。
【０００８】
実施形態の一態様では、電池カートリッジ縁部が第４縁部であり、電池カートリッジが第１縁部と、第１縁部とは反対側を向いた第２縁部と、第４縁部とは反対側を向いた第３縁部とをさらに含み、凹部が、電池カートリッジがマスク本体に取り付けられたときに電池カートリッジ第１縁部に接触するように構成される凹部第１壁と、電池カートリッジがマスク本体に取り付けられたときに電池カートリッジ第２縁部に接触するように構成される凹部第２壁と、凹部第１壁の切欠きと、をさらに含む。
【０００９】
実施形態の一態様において、電池カートリッジが、電池カートリッジ第１縁部に突出部をさらに含み、電池カートリッジがマスク本体に取り付けられたときに、突出部が凹部第１壁の切欠きに収容されるサイズと構造を有する。
【００１０】
実施形態の一態様において、電池カートリッジが電池カートリッジ第３縁部に電気コネクタをさらに含む。
【００１１】
実施形態の一態様において、電池カートリッジが電池カートリッジ第２縁部上のねじボスと、電池カートリッジ第２縁部に沿って延びるねじ凹部とをさらに含み、ねじボスとねじ凹部がそれぞれねじを収容するサイズと構造を有する。
【００１２】
実施形態の一態様において、電池カートリッジが電池カートリッジ第２縁部にラッチ機構をさらに含む。実施形態の一態様において、マスク本体がラッチ機構と機械的に連通する解除機構をさらに含み、解除機構の始動により電池カートリッジ第２縁部をマスク本体から取り外すように構成される。
【００１３】
実施形態の一態様において、解除機構がマスク本体に沿って直線的に移動可能である。
【００１４】
実施形態の一態様において、ラッチ機構が押圧可能突起とバネとを含む。
【００１５】
実施形態の一態様において、ラッチ機構が第１位置にあるときに押圧可能突起が凹部第２壁と係合し、ラッチ機構が第２位置にあるときに押圧可能突起が凹部第２壁から解放される。
【００１６】
実施形態の一態様において、解除機構を始動させると、押圧可能突起がバネに抗して凹部第２壁から離れるように直線移動する。
【００１７】
一実施形態では、マスク本体と、マスク本体に取り外し可能に結合される電池カートリッジを備える呼吸マスクであって、マスク本体が、第１面と、マスク本体第１面に直交する第２面であって、マスク本体第１面が呼吸器を収容するサイズと構造を有する開口を画定する、第２面と、マスク本体の凹部であって、凹部第１壁と、第１壁と向かい合う凹部第２壁と、凹部第１壁と凹部第２壁との間を延びる凹部第３壁と、凹部第１壁、凹部第２壁、および凹部第３壁に接し、マスク本体第１面に平行である凹部第４壁とを有する凹部と、を含み、電池カートリッジが、電池カートリッジがマスク本体に結合されたときに凹部第１壁と接触するように構成される電池カートリッジ第１縁部と、電池カートリッジ第１縁部とは反対側を向いた、電池カートリッジがマスク本体に結合されたときに凹部第２壁に接するように構成される電池カートリッジ第２縁部と、電池カートリッジ第１縁部と電池カートリッジ第２縁部との間を延び、電池カートリッジがマスク本体に結合されたときに凹部第４壁に接触するように構成される電池カートリッジ第１面と、電池カートリッジ第１縁部と電池カートリッジ第２縁部との間を延び、電池カートリッジがマスク本体に結合されたときにマスク本体第１面と共面になるように構成される電池カートリッジ第２面と、を含む。
【００１８】
実施形態の一態様において、凹部が凹部第１壁に切欠きをさらに含み、電池カートリッジが電池カートリッジ第１縁部に突出部をさらに含み、電池カートリッジがマスク本体に取り付けられたときに突出部が切欠きに収容されるサイズと構造を有する。実施形態の一態様において、電池カートリッジが電池カートリッジ第２縁部にラッチ機構と、ラッチ機構と機械的に連通する解除機構とをさらに含み、解除機構が始動されると電池カートリッジが凹部から外れる。
【００１９】
一実施形態において、呼吸マスク用の取り外し可能電池カートリッジであって、呼吸マスクが第１面と、第１面に直交する第２面とを有し、電池カートリッジが、第１縁部と、第１縁部とは反対側を向いた第２縁部と、第１縁部と第２縁部との間を延びる第１面と、第1縁部と第２縁部との間を延び、第１面とは反対側を向き、電池カートリッジがマスク本体に結合されたときにマスク第１面と共面になるように構成される第２面と、マスク本体に係合可能なラッチ機構と、を備える。実施形態の一態様において、電池カートリッジが、第１縁部と第２縁部との間を延びる第３縁部と、第３縁部とは反対側を向き、第１縁部と第２縁部との間を延び、電池カートリッジがマスク本体に結合されたときにマスク第２面と共面になるように構成される第４縁部と、をさらに備える。
【図面の簡単な説明】
【００２０】
添付図面とあわせて考察すると、以下の発明を実施するための形態を参照することによって、本実施形態のより完全な理解、並びにそれに付随する利点および特徴がより容易に理解されるであろう。
【００２１】
【図１】取り外し可能電池カートリッジを有する例示的な呼吸マスクを示す図である。
【図２】部分的に取り外した状態における、取り外し可能電池カートリッジを備えた呼吸マスクの詳細図である。
【図３】完全に取り外した状態における、取り外し可能電池カートリッジを備えた呼吸マスクの詳細図である。
【図４】取り外し可能電池カートリッジの側面図である。
【図５】ラッチ機構を有する取り外し可能電池カートリッジの断面図である。
【発明を実施するための形態】
【００２２】
本発明は、取り外し可能電源と、取り外し可能電源、たとえば、マスクに容易に脱着される取り外し可能電池カートリッジを有する呼吸マスクとを有利に提供する。
【００２３】
本開示に係る例示的な実施形態を詳細に説明する前に、構成要素は、適切な場合には図面において慣例的な記号によって表され、本明細書の説明の恩恵を受ける当業者にとって容易に明らかとなる詳細により本開示を不明瞭にしないように、本開示の実施形態を理解することに関連する特定の詳細のみを示していることが留意されるべきである。
【００２４】
本明細書で使用される場合、「第１」、「第２」、「上部」、および「下部」などの関係を示す用語は、１つの実体または要素を別の実体または要素と単に区別するために、そのような実体同士もしくは要素同士の間の物理的もしくは論理的関係、または順序を必ずしも必要とするまたは意味することなく、使用される。
【００２５】
別段に定義されていない限り、本明細書において使用されているすべての用語（技術的用語および科学的用語を含む）は、本開示が属する当業者に通常理解される意味と同じ意味を有する。さらに、本明細書で使用される用語は、本明細書の文脈および関連技術におけるそれらの意味と矛盾しない意味を有するとして解釈されるべきであり、本明細書で特にそう定義されない限り、理想的または過度に形式的な意味に解釈されないと理解されよう。
【００２６】
次に、図面を参照すると、図面では、同様な参照呼称は同様な要素を示しており、本発明の原理にしたがって構築された取り外し可能電池カートリッジを有する個人用保護具製品の一実施形態が示され、全体が「１０」で示されている。図１を参照すると、個人用保護具製品は、気体、蒸気、エアロゾル（塵、霧、および／または生物剤などの）、および／または同様なものなどだがこれらに限定されない有害物質に使用者が曝される環境において使用者によって装着されるように構成された呼吸マスク１０である。より詳細に後述する電池カートリッジ１２に加えて、マスク１０は概して、本体１４と、本体１４に結合されるフェースプレートまたは窓１６と、本体１４に結合され１つ以上のストラップ２０を有するフェースシール１８と、ベゼル２２と、呼吸器（図示せず）へ取り付けるためのサイズと構造を有するフェースプレート１６の開口２４と、開口２４と連通するノーズカップ２６と、を含む。マスク１０は、マスク１０を使用するための条件および目的に応じて他の構成要素を含んでもよい。
【００２７】
電池カートリッジ１２はマスク本体１４に取り外し可能に結合することができる。一実施形態において、電池カートリッジ１２は、使用者がマスク１０を着用するときに使用者の顎の近傍領域において開口２４（および装着される場合は呼吸器）の下方の開口２４から所定距離離れた位置、たとえばハウジング部２５で、マスク本体１４に結合されるように構成される。いくつかの実施形態では、ハウジング部２５は、マイクロフォン、トランシーバ、無線通信ユニットなどのシステムの電子部品を収容または包含する。この位置では、電池カートリッジ１２は使用者の動きを邪魔せず、マスクをかさばらせず、マスクへの着脱の際に扱いやすい。
【００２８】
電池カートリッジ１２は、高密度ポリエチレン（ＨＤＰＥ）のような硬質プラスチックなど、マスク本体１４と同一の材料で構成してもよい。任意に、マスク本体１４および／または電池カートリッジ１２は、シリコーンゴム、熱可塑性エラストマー（ＴＰＥ）、ゴム（天然または合成のいずれか）および／または他の材料のような、より低い硬度の追加材料でオーバーモールドされてもよい、あるいは該材料を含んでもよい。しかし、マスク本体１４と電池カートリッジ１２とは、電池カートリッジ１２をマスク１０から着脱する際に、その形状を維持するのに十分な剛性を有しているべきであると理解される。図１〜３に示す実施形態では、マスク本体１４のハウジング部２５は、マスク１０の第１（または前）面２８と第２（下）面３０を画定し、第１面２８が第２面３０に直交する。別の言い方をすれば、第１面２８と第２面３０が交わってマスク本体１４下縁３２を画定することができる。本明細書で使用されるとき、「直交」という用語は、面同士が丸みを帯びた縁部で交じり合うか、あるいは鋭い角度の縁部で交わるかにかかわらず、９０度で交わる面だけでなく、９０度で交わる平面に位置する面も含む。さらに、本明細書で使用されるとき、「直交」という用語は、±１０度内など許容公差内で相互に略直交する面も含む。下縁３２は丸みを帯びていてもよいし、別の構造を有していてもよい。下縁３２が丸みを帯びていても（および第１面２８および／または第２面３０が平坦でない、質感を有するなどであっても）、第１面２８が位置する平面は第２面３０が位置する平面に少なくとも実質的に直交するため、第１面２８は第２面３０に少なくとも実質的に直交すると言うことができる。マスク１０が使用者によって着用されると、第１面２８はほぼ使用者の顎から使用者の額まで延び、第２面３０はほぼ使用者の顎から使用者の首まで延びる。第１面２８は、をフェースプレート開口２２の下側曲線を少なくとも部分的に囲むまたは追従する。
【００２９】
一実施形態では、電池カートリッジ１２は略矩形または台形であり、４つの縁部と２つの面を有する。たとえば、カートリッジ１２は第１縁部３８と、第１縁部３８とは反対側を向いた第２縁部４０とを含む。いくつかの実施形態において、第１縁部３８と第２縁部４０は平行にすることができるが、図１〜３に示す実施形態では、台形の斜めの対向側面のように、第１縁部３８と第２縁部４０は互いに対して傾斜していてもよい。非限定的例として、電池カートリッジ１２は、第１縁部３８と第２縁部４０との間に延びる第３縁部４２をさらに含み、第１縁部３８と第２縁部４０は、電池カートリッジ１２を取り付けるマスクの種類、サイズ、および構造に応じて、（たとえば、図５に示すように）水平から約１０度〜約４０度の角度αで第３縁部４２と交わってもよい。電池カートリッジ１２は、第３縁部４２とは反対側を向いた第４縁部４４をさらに含む。第３縁部４２は平坦であるが、一実施形態では、第４縁部４４は湾曲している（たとえば、第３縁部４２から離れるように湾曲する）。しかし、第４縁部４４は、電池カートリッジ１２がマスク本体第２面３０と共面となるような形状を有していてもよいと理解される。すなわち、カートリッジ第４縁部４４とマスク本体第２面３０は、電池カートリッジ１２がマスク本体１４と結合されたときに連続面を画定することができる。本明細書で使用されるとき、「共面」という用語は、面間に判別可能な境界がない円滑面を有する完全な共面だけでなく、不規則な形状を有するが共通平面に位置する面や、許容公差内で共面である面も含む。
【００３０】
電池カートリッジ１２は第１面４６と、第１面４６とは反対側を向いた第２面４８とを含む。第１面４６と第２面４８はそれぞれ、第１縁部３８、第２縁部４０、第３縁部４２、および第４縁部４４によって接合することができる。第１面４６は平坦である一方、第２面４８は、電池カートリッジ１２がマスク本体第１面２８と略共面になるような形状を有していてもよい。すなわち、カートリッジ第２面４８とマスク本体第１面２８は、電池カートリッジ１２がマスク本体１４に結合されたときに連続面を画定することができる。さらに、カートリッジ第２面４８とカートリッジ第４縁部４４との間の湾曲移行部、またはカートリッジ第２面４８とカートリッジ第４縁部４４が交わる縁部は、マスク下縁３２の少なくとも一部を画定する。同様に、マスク本体第１面２８とマスク本体第２面３０との間の湾曲移行部、またはマスク本体第１面２８とマスク本体第２面３０が交わる縁部も、凹部５０または電池カートリッジ１２のいずれかの側でマスク下縁３２の少なくとも一部を画定する。
【００３１】
マスク本体１４は、電池カートリッジ１２の少なくとも一部を収容するサイズと構造を有する凹部５０を含む、または凹部５０を画定する。具体的には、凹部５０はマスク本体ハウジング部２５に画定されまたは含まれ、凹部５０はマスク本体の第１面２８と第２面３０のそれぞれの少なくとも一部の凹部である。一実施形態において、凹部５０は、第１縁部３８、第２縁部４０、第３縁部４２、および第１面４６を囲むサイズと構造を有しており、第４４縁部４４と第２面４８のそれぞれの少なくとも一部は露出している。たとえば、第４縁部４４と第２面４８は完全に露出し、それぞれマスク本体第２面３０とマスク本体第１面２８と共面を成してもよい。この構成において、凹部５０は、第１壁５４（または第１側壁）、第１壁５４と向かい合う第２壁５６（または第２側壁）、第１壁５４と第２壁５６との間を延びる第３壁５８（または天井）、および第１壁５４、第２壁５６、第３壁５８の間を延び、それらの壁と境を成す第４壁６０（または後壁）を含む、または画定する。第４壁６０はマスク第１面２８と平行である。本明細書で使用されるとき、「平行」という用語は、０度の公差の範囲内で平行な面だけでなく、±５度内などの許容公差内で相互に略平行である平面に位置する面も含む。電池カートリッジ１２がマスク１０に結合されると、電池カートリッジ１２の第１縁部３８が凹部第１壁５４に接触し、電池カートリッジ１２の第２縁部４０が凹部第２壁５６に接触し、電池カートリッジ１２の第３縁部が凹部第３壁５８に接触し、電池カートリッジ１２の第１面４６が凹部第４壁６０に接触する。
【００３２】
電池カートリッジ１２は、呼吸マスクの電子部品を所定時間動作させることが可能な電源６６を内部に有するハウジングである。たとえば、電源６６は、１つ以上の電池（ＡＡまたはＡＡＡ電池など）および／または１つ以上の電池（たとえば、１〜８個の電池）の蓄電池を含むことができる。電池および／または蓄電池の非限定的な例は、アルカリ、ニッケル金属水素化物（ＮｉＭＨ）、リチウムイオン（Ｌｉイオン）などを限定なく含む。電池カートリッジ１２は、電源６６からマスクの電気部品に電力を移送する電気コネクタ６８を含む。したがって、マスク本体１４は、電池カートリッジ１２の電気コネクタ６８に嵌合または係合可能な対応する電気コネクタを含む。一実施形態では、電池カートリッジ１２は、第３縁部４２に第１電気コネクタ６８を含み、マスク本体１４は第３壁５８（図示せず）に対応する第２電気コネクタを含む。
【００３３】
次に図２および図３を参照して、電池カートリッジ１２の取り付けについてより詳細に説明する。電池カートリッジ１２は、当該技術において既知な任意の機構または装置を用いてマスク１０に取り外し可能に結合可能である、または結合される。図２および図３に示すような一実施形態では、電池カートリッジ１２は、ねじボス７２と、カートリッジ第２縁部４０に沿って延びる対応する線状ねじ凹部７４とを含む。ねじ凹部７４は半円形または少なくとも湾曲断面形状を有し、ねじボス７２とねじ凹部７４はともに、電池カートリッジ１２をマスク本体１４に結合するねじを収容するように構成される。たとえば、凹部第３壁５８はねじ穴（図示せず）を含んでもよい。ねじボス７２とねじ凹部７４の形状はねじ７６をねじ穴に誘導し、その後、使用者は、ねじ７６がマスク本体１４に対して締め付けられて、電池カートリッジ１２がマスク本体１４に確実に結合または搭載されるまで、第１方向（たとえば、時計回り）にねじ７６を回転させる。一実施形態では、ねじ７６は使用者が工具を使わずに回転させることができる蝶ねじである。別の実施形態では、ねじ７６は蝶ねじ、六角ボルト、ビスなどの尖っていないねじである。別の実施形態では、ねじ７６は細長い急速解除固定具である。
【００３４】
電池カートリッジ１２を取り外すには、使用者は、ねじ７６がマスク本体１４から離脱して電池カートリッジ１２が解放されるまで、ねじ７６を反対の第２方向（たとえば、反時計回り）に回転させる。図２は、マスク本体１４から部分的に離脱されたまたは取り外された電池カートリッジ１２を示し、図３は、マスク本体１４から完全に離脱されてまたは取り外されて、ねじ７６が解放された電池カートリッジ１２を示す。ねじ７６は図３ではマスク１０から取り外されているが、一実施形態では、ねじ７６がマスク本体１４から取り外されると、ねじ７６はねじボス７２内に保持される。
【００３５】
電池カートリッジ１２とマスク本体１４の結合を簡易化するため、電池カートリッジ１２はカートリッジ第１１縁部３８から延びる突出部８０をさらに含む。凹部５０は、突出部８０を受け入れるサイズと構造を有する対応する切欠き８２を含む。電池カートリッジ１２をマスク本体１４に結合するとき、カートリッジ第１縁部の突出部８０が凹部切欠き８２に挿入されることによって、電池カートリッジ１２を凹部５０内に部分的に着座させ、カートリッジ第２縁部４０での結合のために電池カートリッジ１２を位置合わせする。いったん突出部８０が切欠き８２内に納まると、カートリッジ第２縁部４０が凹部５０に挿入され、上述したようにねじ７６が締め付けられる。
【００３６】
次に、第２の取り付け機構の断面図である図５および６を参照する。一実施形態では、電池カートリッジ１２は、ばね式ラッチ機構８４を使用してマスク本体１４に取り外し可能に結合することができる。図１〜図４に示す電池カートリッジと同様、図５および図６に示す電池カートリッジ１２も、電池カートリッジ１２とマスク１０との結合を簡易化するように対応する凹部切欠き８２に挿入可能な突出部８０をカートリッジ第１縁部３８に含む。電池カートリッジ１２は、電池カートリッジ１２内に少なくとも部分的に配置されて電池カートリッジ１２内で直線的に移動可能である押圧可能突起８６を含む。電池カートリッジ１２は押圧可能突起８６に結合され、接触し、または連通するバネ８８をさらに含み、バネ８８は押圧可能突起８６の第１の直線方向への移動を付勢し、押圧可能突起８６の第１の直線方向の逆の第２の直線方向への移動に抵抗する。たとえば、バネ８８が圧縮されていないとき、押圧可能突起８６の少なくとも一部がカートリッジ第２縁部４０の開口９０を通って延び、バネ８８が圧縮されているとき、押圧可能突起８６は電池カートリッジ１２内に少なくとも実質的に位置する。凹部第２壁９２は対応する開口９２を有し、バネ８８が圧縮されていないとき、押圧可能突起８６の少なくとも一部が開口９２を通って延び、電池カートリッジ１２がマスク本体１４に結合される。この構成において、ラッチ機構は電池カートリッジ１２を凹部５０内に保持しており、電池カートリッジ１２は装着、結合、または係止された位置にあると言える。電池カートリッジ１２は、マスク本体１４の外面に沿って直線的に移動可能であり、押圧可能突起８６と結合されるまたはそれ以外の形で機械的に連通され、使用者が迅速かつ容易に操作することができるフィンガスライドなどの解除機構９４をさらに含む。一構成において、使用者は、解除機構９４を第１方向にスライドさせてバネ８８を圧縮し、電池カートリッジ１２内の押圧可能突起８６を後退させて、電池カートリッジ１２をマスク本体１４から連結または解除することができる。電池カートリッジ１２をマスクに結合または係止するため、次に使用者は反対の第２方向に解除機構９４をスライドさせる、または解除機構９４を単に解放させて、バネ８８を伸張させることによって、押圧可能突起８６を凹部開口９０内へ延在させることができる。すなわち、ラッチ機構８４が第１位置にあるときには、押圧可能突起８６が凹部第２壁５６に係合し、ラッチ機構８４が第２位置にあるときには、押圧可能突起８６が凹部第２壁５６から脱離する。図２に示すように、解除機構９４を始動すると、電池カートリッジ第２縁部４０が凹部５０から離脱する。次いで、電池カートリッジ第１縁部３８の突出部８０は切欠き８２から離脱させて、電池カートリッジ１２をマスク本体１４から完全に取り外すことができる。
【００３７】
本明細書で図示され記載されている取り付け機構に加えてまたはその代わりに、他の取り付け機構を使用してもよいと理解される。いずれの構成においても、使用者が手袋を着用している場合でも、取り付け機構により使用者は電池カートリッジ１２を迅速かつ容易に着脱させることができる。非限定的例として、解除機構９４は回転スイッチ、ボタンなどとすることができる。また、電池カートリッジ１２をマスク１０に固定する第２のまたはバックアップロックとして各種安全機構をさらに含めることができる。安全機構は、電池カートリッジ１２がマスク１０から不用意に取り外されるのを防止することができる。
【００３８】
本明細書では、上記の説明および図面とあわせて、多くの様々な実施形態が開示されている。これらの実施形態のあらゆる組み合わせおよびサブコンビネーションを、文字どおりに記述し図示することは、過度の繰り返しおよび難読化になると理解されよう。したがって、すべての実施形態を任意のやり方および／または組み合わせで組み合わせることができ、図面を含む本明細書は、本明細書に記載された実施形態およびそれらを作成し使用する方法およびプロセスのすべての組み合わせ並びにサブコンビネーションの完全な記載説明を構築すると解釈され、それらの組み合わせまたはサブコンビネーションに対する特許請求の範囲を支援するものである。
【００３９】
一実施形態では、呼吸マスクは、ハウジング部（２５）を含むマスク本体（１４）と、マスク本体ハウジング部（２５）に取り外し可能に結合可能な電源（１２）とを含む。
【００４０】
実施形態の一態様において、電源（１２）が電池カートリッジ（１２）であり、マスク（１０）がマスク本体（１４）に結合されるフェースプレート（１６）をさらに備え、フェースプレート（１６）が開口（２４）を画定し、電池カートリッジ（１２）が開口（２４）から垂直に所定距離離れている。実施形態の一態様において、電源（１２）が電池カートリッジ（１２）であり、マスク本体（１４）が電池カートリッジ（１２）の少なくとも一部を収容するサイズと構造を有する凹部（５０）を画定する。実施形態の一態様において、マスク本体ハウジング部（２５）が第１面（２８）と、第１面（２８）に直交する第２面（３０）とを有し、電池カートリッジ（１２）が、電池カートリッジ（１２）がマスク本体（１４）に結合されたときにマスク本体ハウジング部（２５）の第２面（３０）と共面となる縁部（４４）を含む。
【００４１】
実施形態の一態様において、電池カートリッジ（１２）が電池カートリッジ（１２）がマスク本体（１４）に取り付けられたときに、マスク本体ハウジング部（２５）の第１面（２８）と共面となる面（４６）をさらに含む。
【００４２】
実施形態の一態様において、電池カートリッジ縁部（４４）が第４縁部（４４）であり、電池カートリッジ（１２）が第１縁部（３８）と、第１縁部（３８）とは反対側を向いた第２縁部（４０）と、第４縁部（４４）とは反対側を向いた第３縁部（４２）とをさらに含み、凹部（５０）が、電池カートリッジ（１２）がマスク本体（１４）に取り付けられたときに電池カートリッジ第１縁部（３８）に接触するように構成される凹部第１壁（５４）と、電池カートリッジ（１２）がマスク本体（１４）に取り付けられたときに電池カートリッジ第２縁部（４０）に接触するように構成される凹部第２壁（５６）と、凹部第１壁（５４）の切欠き（８２）と、をさらに含む。
【００４３】
実施形態の一態様において、電池カートリッジ（１２）が、電池カートリッジ第１縁部（３８）に突出部（８０）をさらに含み、電池カートリッジ（１２）がマスク本体（１４）に取り付けられたときに、突出部（８０）が凹部第１壁（５４）の切欠き（８２）に収容されるサイズと構造を有する。
【００４４】
実施形態の一態様において、電池カートリッジ（１２）が電池カートリッジ第３縁部（４２）に電気コネクタ（６８）をさらに含む。
【００４５】
実施形態の一態様において、電池カートリッジ（１２）が電池カートリッジ第２縁部（４０）上のねじボス（７２）と、電池カートリッジ第２縁部（４０）に沿って延びるねじ凹部（７４）とをさらに含み、ねじボス（７２）とねじ凹部（７４）がそれぞれねじ（７６）を収容するサイズと大きさを有する。
【００４６】
実施形態の一態様において、電池カートリッジ（１２）が電池カートリッジ第２縁部（４０）にラッチ機構（８４）をさらに含む。実施形態の一態様では、マスク本体（１４）がラッチ機構（８４）と機械的に連通する解除機構（９４）をさらに含み、解除機構（９４）の始動により電池カートリッジ第２縁部（４０）をマスク本体（１４）から取り外すように構成される。
【００４７】
実施形態の一態様において、解除機構（９４）がマスク本体（１４）に沿って直線的に移動可能である。
【００４８】
実施形態の一態様において、ラッチ機構（８４）が押圧可能突起（８６）とバネ（８８）とを含む。
【００４９】
実施形態の一態様において、ラッチ機構（８４）が第１位置にあるときに押圧可能突起（８６）が凹部第２壁（５６）と係合し、ラッチ機構（８４）が第２位置にあるときに押圧可能突起（８６）が凹部第２壁（５６）から解放される。
【００５０】
実施形態の一態様において、解除機構（９４）を始動させると、押圧可能突起（８６）がバネ（８８）に抗して凹部第２壁（５６）から離れるように直線移動する。
【００５１】
一実施形態では、マスク本体（１４）とマスク本体（１４）に取り外し可能に結合される電池カートリッジ（１２）を備える呼吸マスク（１０）であって、マスク本体（１４）が、第１面（２８）と、マスク本体第１面（２８）に直交する第２面（３０）であって、マスク本体第１面（２８）が呼吸器を収容するサイズと構造を有する開口（２４）を画定する、第２面（３０）と、マスク本体（１４）の凹部（５０）であって、凹部第１壁（５４）と、第１壁（５４）と向かい合う凹部第２壁（５６）と、凹部第１壁（５４）と凹部第２壁（５６）との間を延びる凹部第３壁（５８）と、凹部第１壁（５４）、凹部第２壁（５６）、および凹部第３壁（５８）に接し、マスク本体第１面（２８）に平行である凹部第４壁（６０）とを有する凹部（５０）と、を含み、電池カートリッジ（１２）が、電池カートリッジ（１２）がマスク本体（１４）に結合されたときに凹部第１壁（５４）と接触するように構成される電池カートリッジ第１縁部（３８）と、電池カートリッジ第１縁部（３８）とは反対側を向いた、電池カートリッジ（１２）がマスク本体（１４）に結合されたときに凹部第２壁（５６）に接するように構成される電池カートリッジ第２縁部（４０）と、電池カートリッジ第１縁部（３８）と電池カートリッジ第２縁部（４０）との間を延び、電池カートリッジ（１２）がマスク本体（１４）に結合されたときに凹部第４壁（６０）に接触するように構成される電池カートリッジ第１面（４６）と、電池カートリッジ第１縁部（３８）と電池カートリッジ第２縁部（４０）との間を延び、電池カートリッジ（１２）がマスク本体（１４）に結合されたときにマスク本体第１面（２８）と共面になるように構成される電池カートリッジ第２面（４８）と、を含む。
【００５２】
実施形態の一態様において、凹部（５０）が凹部第１壁（５４）に切欠き（８２）をさらに含み、電池カートリッジ（１２）が電池カートリッジ第１縁部（３８）に突出部（８０）をさらに含み、電池カートリッジ（１２）がマスク本体（１４）に取り付けられたときに突出部（８０）が切欠き（８２）に収容されるサイズと構造を有する。実施形態の一態様において、電池カートリッジ（１２）が電池カートリッジ第２縁部（４０）にラッチ機構（８４）と、ラッチ機構（８４）と機械的に連通する解除機構（９４）とをさらに含み、解除機構（９４）が始動されると電池カートリッジ（１２）が凹部（５０）から外れる。
【００５３】
一実施形態において、呼吸マスク（１０）用の取り外し可能電池カートリッジ（１２）であって、呼吸マスク（１０）が第１面（２８）と、第１面（２８）に直交する第２面（３０）とを有し、電池カートリッジ（１２）が、第１縁部（３８）と、第１縁部（３８）とは反対側を向いた第２縁部（４０）と、第１縁部（３８）と第２縁部（４０）との間を延びる第１面（４６）と、第１縁部（３８）と第２縁部（４０）との間を延び、第１面（４６）とは反対側を向き、電池カートリッジ（１２）がマスク本体（１４）に結合されたときにマスク第１面（２８）と共面になるように構成された第２面（４８）と、マスク本体（１４）に係合可能なラッチ機構（８４）と、を備える。
【００５４】
実施形態の一態様において、電池カートリッジ（１２）が、第１縁部（３８）と第２縁部（４０）との間を延びる第３縁部（４２）と、第３縁部（４２）とは反対側を向き、第１縁部（３８）と第２縁部（４０）との間を延び、電池カートリッジ（１２）がマスク本体（１４）に結合されたときにマスク第２面（３０）と共面になるように構成される第４縁部（４４）と、をさらに備える。
【００５５】
他の実施形態として、以下を挙げることができる。
実施形態１
第１応答機用のヘッドギアは、面部と、面部に装着される電池パックとを備え、電池パックは手動で取り外し可能である。
【００５６】
本明細書に記載された実施形態は、本明細書で具体的に図示し上述したものに限定されないことが当業者には理解されるであろう。加えて、上記でそれとは反対に言及されない限り、添付の図面のすべては縮尺どおりではないことに留意されたい。上記の教示を考慮して、添付の特許請求の範囲を逸脱することなく、様々な改良およびバリエーションが可能である。
【図１】
2019511333.tif 000003
【図２】
2019511333.tif 000004
【図３】
2019511333.tif 000005
【図４】
2019511333.tif 000006
【図５】
2019511333.tif 000007
【図６】
2019511333.tif 000008
【国際調査報告】
2019511333.tif 000009
2019511333.tif 000010
2019511333.tif 000011